(57)【特許請求の範囲】
【請求項１】
火災発生時に排煙ファンにより火災ゾーンで発生する煙を排煙し、その他の非火災ゾーンを加圧する防煙システムにおいて、各ゾーンに設けられた排煙ダクトと、該排煙ダクトを排煙ファンに接続する排煙集合ダクトと、前記排煙ダクトと排煙集合ダクトの間に配設された２個の排煙ダンパーとを備え、火災発生時には、火災ゾーンの排煙ダンパーのみを開放し排煙ファンにより機械排煙を行い、前記排煙集合ダクトに外気に連通するバイパスダクトを接続するとともに、該バイパスダクトに給気逃しダンパーを設け、排煙ファン停止時に前記給気逃しダンパーを開放させることを特徴とする商業施設の防煙システムの運転方法。
【発明の詳細な説明】
【０００１】
【発明の属する技術分野】
本発明は、多数の店舗を有する商業施設において、火災時の防煙対策の技術分野に属する。
【０００２】
【発明が解決しようとする課題】
従来、商業施設の店舗部分の防火区画は、防火シャッター等により行っているが、防火シャッターの閉鎖障害等によって非火災ゾーン（店舗部分で火災が発生した区画を火災ゾーン、それに隣接する店舗部分の区画を非火災ゾーンとする）へ漏煙する場合があり、このため、火災ゾーンに隣接する非火災ゾーンが水平避難（同一階における避難）の滞留スペースとして、十分に安全性が確保されていないという問題を有している。また、防煙垂壁（防煙区画）により店舗レイアウトに制限を受けたり、構内ＰＯＳ、ＰＨＳの電波障害を発生させるという問題を有し、さらに、店舗のレイアウト変更時には防煙垂壁や排煙設備も変更する必要があるという問題を有している。
【０００３】
この問題を解決するために、本発明者等は同日付けで、店舗を複数のゾーンに区画する防火シャッターと、区画されたゾーンで発生する煙を独立して排煙可能にする排煙ファンと、区画されたゾーンを独立して加圧可能にする空調機と、屋内階段を加圧する加圧ファンとを備え、火災発生時には、排煙ファンにより火災ゾーンで発生する煙を排煙し、空調機によりその他のゾーンを加圧するとともに加圧ファンにより屋内階段を加圧することを特徴とする商業施設の防煙システムを出願し、これにより、火災ゾーンに隣接する非火災ゾーンでの避難安全性を向上させるとともに、防煙区画の撤廃によって店舗レイアウトの制限や電波障害を低減させることができるようにしている。
【０００４】
ところが、図４に示すように、排煙ダクト１２の煙層温度が２８０℃を越えた場合には、自動的に閉鎖する防火ダンパー１８を設置し、排煙ファン１１による機械排煙を停止する構成となっているため、排煙口の間近で火災が発生した場合には、約３〜５分で排煙ファン１１による機械排煙が停止してしまい、火災ゾーンの煙層降下が進み、廊下、附室等の避難路部分に漏煙してしまうという問題を有し、とくに、加圧防煙システムの場合、避難路部分を給気加圧した圧力が火災ゾーンに向かうため機械排煙停止後の火災ゾーンの圧力上昇への対応が問題となっている。なお、図４において、１９は火災ゾーンの排煙ダクト１２を開放するための排煙ダンパーである。
【０００５】
本発明は、上記問題を解決するものであって、加圧防煙システムにおいて、火災ゾーンの煙層降下、非火災ゾーン、階段、乗降ロビー等への漏煙を長時間防止することができる商業施設の防煙システムの運転方法を提供することを目的とする。
【０００６】
【課題を解決するための手段】
そのために本発明の商業施設の防煙システムの運転方法は、火災発生時に排煙ファン１１により火災ゾーンＡで発生する煙を排煙し、その他の非火災ゾーンＢを加圧する防煙システムにおいて、各ゾーンに設けられた排煙ダクト１２と、該排煙ダクトを排煙ファン１１に接続する排煙集合ダクト２３と、前記排煙ダクトと排煙集合ダクト２３の間に配設された２個の排煙ダンパー１９とを備え、火災発生時には、火災ゾーンＡの排煙ダンパー１９のみを開放し排煙ファン１１により機械排煙を行い、前記排煙集合ダクト２３に外気に連通するバイパスダクト２１を接続するとともに、該バイパスダクト２１に給気逃しダンパー２０を設け、排煙ファン１１停止時に前記給気逃しダンパー２０を開放させることを特徴とする。
以上
【０００７】
【発明の実施の形態】
以下本発明の実施の形態を図面を参照しつつ説明する。図１及び図２は、本発明が適用される商業施設の防煙システムの１例を示し、図１は商業施設の模式的断面図、図２は図１の平面図である。
【０００８】
図１及び図２において、商業施設１は複数階の建物からなり、各階には、複数の店舗２、屋内階段３、階段に隣接する前室５及び附室５′、非常用エレベータ乗降ロビー６等が設けられている。各階の天井には天井チャンバー７が形成され、各店舗２の天井チャンバー７には空調機９からの空調ダクト１０が配設され、天井から空調エアを供給するようになっている。また、各店舗２の天井チャンバー７には排煙ファン１１からの排煙ダクト１２が配設され、店舗２内で発生する煙を屋外に排出するようになっている。さらに、屋内階段３には加圧ファン１３からのダクト１５が接続されている。
【０００９】
また、図２に示すように、煙層温度の上昇を抑制するために、店舗部分の防煙区画を拡大し、これを防火シャッター１６により区画し、従来の防煙垂壁１７を撤廃している。また、防火シャッター１６により区画された耐火区画は、それぞれ独立して空調機９からのエアの供給と、排煙ファン１１によるエアの排出ができるように構成されている。これにより、火災ゾーンＡで火災が発生した場合には、非火災ゾーンＢにおいて水平避難時の安全な滞留スペースを確保し、そこへの水平避難を容易にし、さらに前室５、屋内階段３への避難も容易にし、そのために、この水平避難をはじめとする避難をサポートする加圧防煙システムを採用している。
【００１０】
上記構成からなる防煙システムの作用について説明する。図１及び図２は、火災ゾーンＡのＦ点において火災が発生した際の空気の動きを白抜き矢印で、人の動きを黒色矢印にて示し、また、＋＋、＋、±、−は、各室の加圧レベルを示し、＋＋が高く、＋はやや高く、±は中立、−は負圧を示している。
【００１１】
火災が発生すると、全階の空調機９の運転を停止し、火災ゾーンＡに接続された排煙ファン１１を運転すると、火災ゾーンＡで発生する煙は、排煙ダクト１２を経て外部に排出されるとともに、火災ゾーンＡは負圧に維持される。一方、火災ゾーンＡに隣接される非火災ゾーンＢ及び上階の店舗２には加圧給気モードに変換された空調機９からエアが供給され加圧状態にされ、また、加圧ファン１３が運転され、屋内階段３も加圧状態に、これに隣接する前室５も間接的に加圧状態に維持される。従って、煙は火災ゾーンＡに封じ込められることになり、非火災ゾーンＢ、上階の店舗２、前室５及び屋内階段３に煙が移動することがなく、火災ゾーンＡから非火災ゾーンＢへの水平避難及び前室５、屋内階段３への避難の安全性を向上させることができる。
【００１２】
図３は、本発明の１実施形態を示し図１の要部拡大断面図である。本発明においては、図４の防火ダンパー１８を無くし、各店舗２の天井チャンバー７に配設された排煙ダクト１２は、２個の排煙ダンパー１９、排煙集合ダクト２３を経て排煙ファン１１に接続されている。また、排煙集合ダクト２３には、給気逃し用ダンパー２０を備えるバイパスダクト２１が接続されている。排煙集合ダクト２３は、それ専用の防火区画である竪穴シャフト２２に配設され、各店舗２との区画貫通部は２重の排煙ダンパー１９によって区画し、非火災階への漏煙、延焼防止を確実に行うように構成している。
【００１３】
上記構成からなる本発明の作用について説明する。火災発生時には、火災ゾーンの排煙ダンパー１９のみを開放し、煙層温度が２８０℃を越えた場合でも排煙ファン１１が停止するまで、機械排煙を稼働させ、排煙ファン１１が停止して機械排煙が不可能になった場合には、排煙集合ダクト２３に設けた給気逃し用ダンパー２０を開いて給気による火災ゾーンの圧力を外気に逃がすようにする。なお、排煙ファン１１の稼働時には、給気逃し用ダンパー２０の閉鎖によってバイパスダクト２１からの逆流を防止する。
【００１４】
【発明の効果】
以上の説明から明らかなように、本発明によれば、加圧防煙システムにおいて、火災ゾーンの煙層降下、非火災ゾーン、階段、乗降ロビー等への漏煙を長時間防止することができ、万一、排煙ファンが停止した場合でも、給気逃しダンパーの開放によって、火災ゾーンの減圧を行い加圧防煙システムの作動をさらに継続させることができる。その結果、システム作動の長時間化により、避難安全性の維持と共に火災ゾーンの圧力上昇が抑制されるため、消防隊の火災ゾーンへの進入が容易になるとともに、乗降ロビー、屋内階段、非火災ゾーン等を消防活動の拠点としても確保することができる。
【図面の簡単な説明】
【図１】本発明が適用される商業施設の防煙システムの１例を示す商業施設の模式的断面図である。
【図２】図２は図１の平面図である。
【図３】本発明の１実施形態を示す図１の要部拡大断面図である。
【図４】本発明の課題を説明するための図１の要部拡大断面図である。
【符号の説明】
Ａ…火災ゾーン
Ｂ…非火災ゾーン
２…店舗
１１…排煙ファン
１２…排煙ダクト
１９…排煙ダンパー
２３…排煙集合ダクト
【図１】
0003706985.tif 000002
【図２】
0003706985.tif 000003
【図３】
0003706985.tif 000004
【図４】
0003706985.tif 000005